(57)【要約】      （修正有）【課題】レンズモジュールが回転、偏り傾斜することを防止できる、レンズモジュールソケットを提供する。【解決手段】絶縁本体１、複数のソケット端子３、金属ケース２を備え、絶縁本体はベース１１を備え、ベースの四周縁はそれぞれ直立し側壁１２を形成し、ベースと取り囲み収容設置槽１３を形成し、４面の側壁上にはすべて側押し弾力片限定槽１２４を開設し、複数のソケット端子は、絶縁本体上に固定し、金属ケースは、絶縁本体の４面の側壁外部上に固定して覆い、金属ケースは２面が相対する第一側面壁２１と２面が相対する第二側面壁２２を備え、第一、第二側面壁、上には共に、側押し弾力片を湾曲して延伸し、２面の第一側面壁と２面の第二側面壁上の側押し弾力片の設置位置はそれぞれ相互に対応し、しかも一致し、側押し弾力片は側押し弾力片限定槽に係合させ、収容設置槽内まで延伸して構成する。【選択図】図１
0003148563.tif 000002
【実用新案登録請求の範囲】
【請求項１】
絶縁本体、複数のソケット端子、金属ケースを備え、
前記絶縁本体はベースを備え、前記ベースの四周縁はそれぞれ上方へと直立し側壁を形成し、前記側壁はそれぞれ２面の前、後側壁と２面の左、右側壁により構成し、前記４面の側壁と前記ベースは取り囲み、レンズモジュールを挿入して設置可能な収容設置槽を形成し、前記４面の側壁上にはすべて側押し弾力片限定槽を開設し、
前記複数のソケット端子は、前記絶縁本体上に固定し、
前記金属ケースは、前記絶縁本体の４面の側壁外部上に固定し、前記金属ケースは、それぞれ前、後側壁を包み、相対する２面の第一側面壁、及びそれぞれ左、右側壁を包み、相対する２面の第二側面壁を備え、前記２面の第一側面壁と前記２面の第二側面壁上には共に、側押し弾力片を湾曲して延伸し、２面の第一側面壁と２面の第二側面壁上の側押し弾力片は一つずつ相互に対応し、位置は一致し、各側押し弾力片はそれぞれ側押し弾力片限定槽に係合され、収容設置槽内まで延伸することを特徴とするレンズモジュールソケット。
【請求項２】
請求項１記載のレンズモジュールソケットにおいて、前記２面の第一側面壁上には、相互に一定の距離を隔てる側押し弾力片をそれぞれ設置し、前記２面の第二側面壁上の中央部には、側押し弾力片をそれぞれ設置することを特徴とするレンズモジュールソケット。
【請求項３】
請求項１記載のレンズモジュールソケットにおいて、前記２面の第二側面壁上の辺縁は、それぞれ上方へと突出し、一つずつが対応し、しかも前後が一致する固定弾力片を湾曲して形成し、前記左、右側壁上には、相互に対応する固定弾力片限定槽をそれぞれ開設し、固定弾力片は前記固定弾力片限定槽にそれぞれ係合され、収容設置槽内まで延伸することを特徴とするレンズモジュールソケット。
【考案の詳細な説明】
【技術分野】
【０００１】
本考案はソケットに関し、特にレンズモジュールソケットに関する。
【背景技術】
【０００２】
図５は、従来のレンズモジュールとレンズモジュールソケットの立体図である。図５に示すように、レンズモジュールソケットにはレンズモジュール４を挿入設置して用い、レンズモジュール４は凡そ方形を呈する基台４１、該基台４１上に挿入して設置する複数のレンズ端子（図示なし）、該基台４１上に設置するレンズ体４２、該レンズ体４２上に突出する方向定位ブロック４３を備える。レンズモジュールソケットは、絶縁本体１’、金属ケース２’、及び該絶縁本体１’上に固定し、レンズ端子とそれぞれ連接するソケット端子３’を備える。該絶縁本体１’は、ベース１１’を備え、該ベース１１’の四周は、それぞれ上方へと直立し側壁１２’を延伸する。該４面の側壁１２’はそれぞれ接続し、該ベース１１’と共に取り囲み収容設置槽１３’を形成する。該４面の側壁１２’にはすべて、側押し弾力片限定槽１２４’を開設する。該金属ケース２’は、該絶縁本体１’上に固定する。該金属ケース２’は、該４面の側壁１２’を包み、側面壁２１’を備え、該４面の側壁２１’の上縁はすべて屈折し、側押し弾力片２１２’を延伸する。しかも、前側面壁２１’の側押し弾力片２１２’は左側に位置し、後側面壁２１’の側押し弾力片２１２’は右側に位置し、左側面壁２１’の側押し弾力片２１２’は後側に位置し、右側面壁２１’の側押し弾力片２１２’は前側に位置する。該各側押し弾力片２１２’は、それぞれ側押し弾力片限定槽１２４’に係合され、該収容設置槽１３’内まで延伸する。
【０００３】
しかし、上記した従来のレンズモジュールソケットは、該レンズモジュール４を挿入する時、４面の側押し弾力片２１２’はレンズモジュール４の基台４１に対して回転トルクを形成する。これにより、該レンズモジュール４は、ソケット内において回転或いは偏り傾斜し、撮影された影像に偏りや傾斜が生じ易くなってしまう。
【考案の開示】
【考案が解決しようとする課題】
【０００４】
本考案の目的は、レンズモジュールの回転を防止可能で、これによりレンズモジュールがソケット内において回転し、或いは偏り傾斜することを回避することができるレンズモジュールソケットを提供することである。
【課題を解決するための手段】
【０００５】
本考案はレンズモジュールソケットを提供する。レンズモジュールソケットは絶縁本体、複数のソケット端子、金属ケースを備え、該絶縁本体はベースを備え、該ベースの四周縁はそれぞれ直立し側壁を形成し、該４面の側壁は相互に接続し、該ベースと取り囲み収容設置槽を形成し、該４面の側壁上にはすべて側押し弾力片限定槽を開設する。該複数のソケット端子は、該絶縁本体上に固定する。該金属ケースは、該絶縁本体の４面の側壁外部上に固定して覆い、該金属ケースはそれぞれ前、後側壁を包む。２面の第一側面壁、及びそれぞれ左、右側壁を包み、相対する２面の第二側面壁を備え、該第一側面壁と該第二側面壁上には共に、側押し弾力片を湾曲して延伸し、該２面の第一側面壁と該２面の第二側面壁上の側押し弾力片の設置位置はそれぞれ相互に対応し、しかも一致し、該側押し弾力片は側押し弾力片限定槽に係合され、収容設置槽内まで延伸する。
レンズモジュールソケットは、２面の第一側面壁と２面の第二側面壁上の側押し弾力片の設置位置がそれぞれ一つずつ対応し、しかも一致するため、レンズモジュールを挿入する時には、各側押し弾力片はレンズモジュールに対して平均に力を加え、定位することができ、このようにして各側押し弾力片の作用力のバランスを保つことができ、これにより、レンズモジュールの回転或いは偏り傾斜を防止可能である。
【考案の効果】
【０００６】
本考案では、レンズモジュールを挿入する時、金属ケースの側押し弾力片の相互対応関係を用いるため、側押し弾力片は平均に施力と定位を行い、その作用力はバランスがとれており、よって、レンズモジュールのソケット内での回転或いは偏り、傾斜を回避することができる。
【考案を実施するための最良の形態】
【０００７】
図１は、本考案一実施形態によるレンズモジュールソケットの立体図である。図１に示すように、本考案一実施形態によるレンズモジュールソケット１００は、絶縁本体１、金属ケース２、複数のソケット端子３を備える。図２は、本考案一実施形態によるレンズモジュールソケットの分解図で、図３は、図１に示すレンズモジュールソケットの絶縁本体の立体図である。
図２、図３に示すように、絶縁本体１は方形板状を呈するベース１１を備える。ベース１１の四周は、それぞれ上方へと直立し側壁１２を延伸する。本実施形態では、相互に対応する２面の前、後側壁、及び相互に対応する２面の左、右側壁を定義する。４面の側壁１２はそれぞれ接続し、しかもベース１１と共に取り囲み収容設置槽１３を形成する。４面の側壁１２の内壁には、複数のソケット端子槽１２１をそれぞれ設置し、しかも複数のソケット端子槽１２１はベース１１上まで延伸する。左、右側壁１２の外表面には、２個の係合部１２２と１個の固定部１２３が突出する。係合部１２２は凡そ台形状を呈し、固定部は長方形を呈する。前、後側壁１２の上部には共に、２個が一定の距離を隔てる側押し弾力片限定槽１２４を開設し、左、右側壁１２の上部の中央にも共に、側押し弾力片限定槽１２４を開設する。前、後側壁１２上の２個の側押し弾力片限定槽１２４の位置は一致し相互に対応し、左、右側壁１２上の側押し弾力片限定槽１２４の位置も一致し相互に対応する。側押し弾力片限定槽１２４の底壁は、直立し上方へと側押し停止壁１２４１を延伸し、側押し停止壁１２４１の外側面と側壁１２の外側面は、同一平面上に在る。側押し停止壁１２４１の厚みは、側壁１２の厚みより薄い。左、右側壁１２の側押し弾力片限定槽１２４の隣接する両側には、固定弾力片限定槽１２５をそれぞれ開設する。しかも、左、右側壁１２の固定弾力片限定槽１２５の位置は、相互に対応する。後側壁１２の中央部には、方向定位槽１２６を開設する。方向定位槽１２６により、レンズモジュールを定位する。前側壁１２の中央部には、側壁凸台１２７を突出設置する。側壁凸台１２７は、２個の側押し弾力片限定槽１２４の間に位置する。
【０００８】
図２と図４に示すように、金属ケース２は、２面が相対する第一側面壁２１及び２面が相対する第二側面壁２２を備える。２面の第一側面壁２１の下部には共に、第一係合槽２１１を開設し、２面の第一側面壁２１の上辺縁はそれぞれ上方へと突出し、並びに内側へと延伸し、さらに湾曲して、２面の側押し弾力片２１２を形成する。しかも、２面の第一側面壁２１上の側押し弾力片２１２は、相互に対応し、左右の位置は一致する。第二側面壁２２の上辺縁の中央部はそれぞれ上方へと突出し、並びに内側へと延伸し、さらに湾曲して、側押し弾力片２１２を形成する。しかも、２面の第二側面壁２２上の側押し弾力片２１２は、それぞれが相互に対応し、前後の位置は一致する。第二側面壁２２の上辺縁は、側押し弾力片２１２の隣接する両側において、それぞれ上方へと突出して湾曲し、固定弾力片２２２を形成する。しかも、第二側面壁２２の固定弾力片２２２は、それぞれが相互に対応し、前後の位置は一致する。２面の第一側面壁２１と２面の第二側面壁２２の上辺縁は、共に内側へと弧状に延伸し、２個の係合フック２１３を形成する。２面の第二側面壁２２の下辺縁に近い位置には、それぞれ第二係合槽２２１を開設する。第二側面壁２２上には、２個の係合孔２２３を開設する。
【０００９】
図１、図２に示すように、本考案一実施形態によるレンズモジュールソケット１００の組み立て時には、金属ケース２は絶縁本体１上に固定される。２面の第一側面壁２１は、前、後側壁１２をそれぞれ包み、２面の第二側面壁２２は、左、右側壁１２をそれぞれ包む。絶縁本体１の左、右側壁１２上の係合部１２２は、第二側面壁２２の係合孔２２３内に係合される。係合フック２１３は、側壁１２の上辺縁に係合する。側押し弾力片２１２は、側押し弾力片限定槽１２４にそれぞれ係合され、収容設置槽１３内まで延伸する。固定弾力片２２２は、固定弾力片限定槽１２５にそれぞれ係合され、収容設置槽１３内まで延伸する。第一側面壁２１の第一係合槽２１１、第二側面壁２２の第二係合槽２２１は、それぞれ側壁１２の固定部１２３と相互に嵌合する。ソケット端子３は、絶縁本体１のソケット端子槽１２１内に固定される。
【００１０】
レンズモジュール４を本考案一実施形態によるレンズモジュールソケット１００に組み立てる時、方向定位ブロック４３は、方向定位槽１２６内において係合され、固定弾力片２２２は、レンズモジュール４の基台４１上に係合され、側押し弾力片２１２は、基台４１の４個の側面を押す。レンズモジュール４をレンズモジュールソケット１００中から抜き取りたい時には、固定弾力片２２２は、相対する２面の第二側面壁２２上に設置するだけであるため、２面の第二側面壁２２上の固定弾力片２２２をジグを利用し開くだけで、便利かつ迅速に、レンズモジュール４をレンズモジュールソケット１００中から抜き取ることができる。
【００１１】
上記したように、本考案一実施形態によるレンズモジュールソケット１００は、２面の第一側面壁２１と２面の第二側面壁２２上の側押し弾力片２１２により、それぞれ一つずつが対応し、しかも位置は一致するため、レンズモジュール４を挿入する時には、各側押し弾力片２１２はレンズモジュール４の基台４１に対して平均に力を加え、定位するだけで、各側押し弾力片の作用力のバランスを保つことができる。このようにして、レンズモジュール４の回転或いは偏り傾斜を防止し、撮影した影像の偏り傾斜を回避することができる。
【図面の簡単な説明】
【００１２】
【図１】本考案一実施形態によるレンズモジュールソケットの立体図である。
【図２】本考案一実施形態によるレンズモジュールソケットの分解図である。
【図３】図１に示すレンズモジュールソケットの絶縁本体の立体図である。
【図４】図１に示すレンズモジュールソケットの金属ケースの立体図である。
【図５】従来のレンズモジュールとレンズモジュールソケットの立体図である。
【符号の説明】
【００１３】
１００    レンズモジュールソケット
１      絶縁本体
１１      ベース
１２      側壁
１２１    ソケット端子槽
１２２    係合部
１２３    固定部
１２４    側押し弾力片限定槽
１２４１    側押し停止壁
１２５    固定弾力片限定槽
１２６    方向定位槽
１２７    側壁凸台
１３      収容設置槽
２      金属ケース
２１      第一側面壁
２１１    第一係合槽
２１２    側押し弾力片
２１３    係合フック
２２      第二側面壁
２２１    第二係合槽
２２２    固定弾力片
２２３    係合孔
３      ソケット端子
１’      絶縁本体
１１’      ベース
１２’      側壁
１２４’    側押し弾力片限定槽
１２６’    方向定位槽
２’      金属ケース
２１’      側面壁
２１２’    側押し弾力片
３’      ソケット端子
４      レンズモジュール
４１      基台
４２      レンズ体
４３      方向定位ブロック
【図１】
0003148563.tif 000003
【図２】
0003148563.tif 000004
【図３】
0003148563.tif 000005
【図４】
0003148563.tif 000006
【図５】
0003148563.tif 000007